(57)【要約】  本発明は椅子に関するものであり、もう詳しくは、着席者の姿勢変化により形状及び位置が変形されながら使用者の腰と背中とを支えることによりリラックス感を提供することと共に姿勢矯正の効果がある腰下敷用椅子に関する。  【選択図】図１
2019514664.tif 000002
【特許請求の範囲】
【請求項１】
座板（１０）と背もたれ（２０）とを具備する椅子において、
前記座板（１０）は中央が窪むように湾曲し、底面部は中央から外側に行くほど円弧形状に上向きに延伸されたボウル形状からなり、前端から後方に向け座板（１０）を左右に折半する切開部（１２）が形成されたことを特徴とする腰下敷用椅子。
【請求項２】
前記座板（１０）は前端部の縁が下側方向に曲面になるように形成されたことを特徴とする請求項１に記載の腰下敷用椅子。
【請求項３】
前記座板（１０）は前方側から後方側に行くほど厚さが薄くなるように構成されることを特徴とする請求項１に記載の腰下敷用椅子。
【請求項４】
前記背もたれ（２０）は座板（１０）の後端部にヒンジ結合され折り畳むことができるように構成されることを特徴とする請求項１に記載の腰下敷用椅子。
【請求項５】
前記座板（１０）の後端部及び背もたれ（２０）の下端部の左右の両側には、各々相互オスメス結合される第１凹凸部（１４）と第２凹凸部（２２）とが形成され、前記第１凹凸部（１４）と第２凹凸部（２２）とにはヒンジピン（Ｐ）が貫通結合されることを特徴とする請求項４に記載の腰下敷用椅子。
【請求項６】
前記座板（１０）の第１凹凸部（１４）の後方端部側には背もたれ（２０）が後方側に所定範囲以上回転しないように支持するストッパーバー（１８）が形成されたことを特徴とする請求項５に記載の腰下敷用椅子。
【請求項７】
前記ストッパーバー（１８）は前記第１凹凸部（１４）の各凸部に同時に結合され水平に延設され、前記背もたれ（２０）の第２凹凸部（２２）の直上部に突き合わせられることを特徴とする請求項６に記載の腰下敷用椅子。
【発明の詳細な説明】
【技術分野】
【０００１】
本発明は椅子に関し、より詳しくは、一般的な椅子、ソファー、自動車シートまたは座面に直接着席の際着席者の姿勢の変化に伴って形状及び位置が変形されながら使用者の身体を支えることによりリラックス感を提供すると共に姿勢矯正の効果がある腰下敷用椅子に関する。
【背景技術】
【０００２】
一般的に椅子は長時間座って楽に休むとか作業ができるような助けとなる道具であり、通常着席者の尻と太ももとを下方から支える座板と、着席者の腰及び背中を支える背もたれと、を含み構成される。
【０００３】
しかし、一般的な椅子の場合使用の際座板と背もたれとの位置が常時固定されているため、着席者が腰と背中を前に曲げたり脚を組む場合、または一方に片寄るなど、姿勢を変化する場合、背もたれが着席者の背中と腰を支えることができなくなって不便さを感じるようになり、姿勢が崩れることにより体形の変形を生じさせる問題があった。
【０００４】
このような着席者の姿勢変化の際の不便さや体形の変形の問題を解決するため、大韓民国登録特許第１０―１４８９７０２号には姿勢を力学的に矯正するための装置及び方法が提示される。 前記登録特許はボウル形状からなり使用者の尻と太ももと及び腰の下端の一部とを支え、弾性を持つ合成樹脂の材質からなり着席者の姿勢変化により形状が弾性変形されるように構成される。 しかし、前記登録特許にかかる姿勢矯正装置は主に尻と太ももとを支持するように概して座布団の形態に構成されることにより着席者の腰や背中を効果的に支持することができず後に寄り休むなどの楽な着座感を提供することができないだけではなく、概して厚さが薄くて易しく弾性変形可能な合成樹脂からなるため、姿勢変化により加えられる力によって易しく形状が変形されむしろ身体部位を堅固に支持することができない短所が存在する。
【０００５】
一方、大韓民国登録特許第１０―１５９８４７３号には座板と背もたれが一体に形成され、着席の際正しい姿勢の誘導とリラックス性とを期待することができる椅子が提案される。 上記登録特許にかかる椅子は背もたれを具備し着席者の背中と腰とを効果的に支持することができるという長所があるが、座板と背もたれとの全体が硬質プラスチックの材質からなり、着席者の身体の一部が片側に偏るなど椅子の一部の領域にだけ局所的に力が加わる場合にも、椅子の全体が同時に形状変形及び位置変更するため、着席者の姿勢に応じることができず、不便さを感じさせる短所が存在する。
【先行技術文献】
【特許文献】
【０００６】
【特許文献１】大韓民国登録特許第１０―１４８９７０２号
【発明の概要】
【発明が解決しようとする課題】
【０００７】
本発明は前述のような従来の一般的な椅子の短所を解決するために創出されたものであり、着席者の姿勢変化時にも効果的に背中と腰とを支え、リラックス感と姿勢矯正の効果をもたらし、特に、着席者の姿勢により最適化された形状や位置の変更を通じどの姿勢でも快適さを感じさせることができる椅子を提供することを目的とする。
【課題を解決するための手段】
【０００８】
前述のような目的を果たすため、本発明にかかる姿勢により変形可能な腰下敷用椅子は、前記座板が、中央において窪むように湾曲され、底面部は中央から外側に行くほど円弧形状で上向きに延長されたボウル形状に構成され、前端から後方に向け座板を左右に折半する切開部が形成される。
【０００９】
ここで、前記座板は前端部の縁が下側方向に曲面になるように形成された方が望ましく、前記座板は前方側から後方側に行くほど厚さが薄くなるように構成された方が望ましい。
【００１０】
また、前記背もたれは座板の後端部にヒンジ結合され折り畳むことができるように構成された方が望ましいが、前記座板の後端部及び背もたれの下端部の左右の両側には各々相互オスメス結合される第１凹凸部と第２凹凸部とが形成され、前記第１凹凸部と第２凹凸部とにはヒンジピンが貫通結合された方が望ましい。 そして、前記座板の第１凹凸部の後方端部側には背もたれが後方側にこれ以上回転されないように支持するストッパーバーが形成される。
【００１１】
ここで、前記ストッパーバーは前記第１凹凸部の各凸部に同時に結合され水平に延設され、前記背もたれの第２凹凸部直上部に突き合わせられた方が望ましい。
【発明の効果】
【００１２】
前述のような本発明によれば、着席者の姿勢変化の際にも効果的に背中と腰を支えリラックス感と姿勢矯正の効果をもたらし、特に、着席者の姿勢により最適化された形状や位置の変更を通じどの姿勢でも快適さを感じることができる。
【００１３】
また本発明にかかる椅子は事務室または家庭用の一般椅子、ソファー、自動車シートなどのすべての形態の椅子の上で使用が可能であり、室内や野外の地面から着座形態に使用すること可能であり、背もたれが折り畳むことが可能になるように構成され保管及び運搬が容易な長所を持つ。
【図面の簡単な説明】
【００１４】
【図１】本発明にかかる椅子の前方斜視図、
【図２】本発明にかかる椅子の側面図、
【図３】本発明にかかる椅子の後方斜視図、
【図４】本発明にかかる椅子の分解図、
【図５】本発明にかかる椅子の折り畳んだ状態図、
【図６】本発明にかかる椅子に正しい姿勢に座った姿が図示された図面、
【図７】本発明にかかる椅子の座板の前端部に腰かけた姿が図示された図面、
【図８】本発明にかかる椅子が着席者の姿勢により左右に回転される姿が図示された図面、
【図９】本発明にかかる椅子の座板が着席者の姿勢により変形される姿が図示された図面である。
【発明を実施するための形態】
【００１５】
以下、本発明にかかる腰下敷用椅子の構成及び作用を添付された図面と望ましい実施例を参照し、詳しく説明する。
【００１６】
図１ないし図４に図示のように、本発明にかかる腰下敷用椅子は座板１０と背もたれ２０とを含み構成される。
【００１７】
座板１０は着席者の尻及び太ももを下方から支持する部分とし、概して堅く、ある程度弾性力がある合成樹脂の材質で構成され、図示のように、着席者の身体形状に対応するように中央部は窪むようになっており、外側に行くほど円弧形状に緩く上向き延伸されるボウル形状に構成される。このような形状により、着席者の尻及び太ももが安定的に保持されることができる。
【００１８】
また、このようなボウル形状により、前記座板１０の底面部は中央から外側に行くほど円弧形状に上向き延伸されるるので、座板１０の片側に上方から力が加えられる場合に中央部を支持点とし旋回（回転）が可能になる。このような作用の効果については後段でさらに詳細に説明する。
【００１９】
前記座板１０には前端から後方に向け所定の長さだけ延伸された切開部１２が形成される。前記切開部１２は座板１０の前端部を左右に折半し、折半された各部分が着席者の左右の太ももを各々支持し、着席者の姿勢変化の際左右の折半された部分がお互い独立的に変形可能である。
【００２０】
その他の構成に、前記座板１０は前端部の縁が着席者の太ももを突いたり力を加えるなどの無理を与えないようにするため、下側方向に曲面になるように形成された方が望ましく、後述のように左右の折半された部分が着席者の姿勢変化の際なだらかに弾性変形されるように前方側から後方側に行くほど厚さが薄くなるように構成された方が望ましい。 そして、座板１０の表面にはクッション１６が粘着される方式で脱着可能に構成された方が望ましい。
【００２１】
背もたれ２０は前記座板１０の後端部に結合され着席者の腰及び背中を支持する部分である。前記背もたれ２０は、図２のように、着席者の尻及び腰の形状に相応するように屈曲されるように形成され、上端部は着席者が腰を反らす場合にも楽で安定的に支持するように後方側に円弧を形成しながら緩くしなって、全体的にＳ字形状に形成された方が望ましい。
【００２２】
そして、前記背もたれ２０は着席者の腰を堅固に支えることと共に、着席者が腰を反らすなどの姿勢変化の際、それに応じ形状が容易に変形されるように、下部は少し厚く上部に行くほど厚さが薄くなるように形成された方が望ましく、上部の全面には図１のようにクッション２４が粘着される方式で脱着可能に構成された方が望ましい。
【００２３】
前記背もたれ２０は保管及び運搬が便利になるように、前記座板１０の後端部にヒンジ結合され折り畳むことができるように構成された方が望ましい。このために、図４に図示のように、前記座板１０の後端部及び背もたれ２０の下端部の左右の両側には各々相互オスメス結合される第１凹凸部１４と第２凹凸部２２とが形成され、前記第１凹凸部１４と第２凹凸部２２とを貫くヒンジピンＰが結合される。
【００２４】
そして、前記ヒンジピンＰは外側からキャップ４０により終端処理され外部に露出しないように構成される。 これにより、前記背もたれ２０がヒンジピンＰを中心として回転し、図５に図示のように折り畳んで保管及び運搬の際の体積を最小化することもできる。
【００２５】
追加的に、前記座板１０と背もたれ２０との結合部位には中央に把持孔３０が形成され使用者が運搬の際把持し手軽に運ぶことを可能にした。
【００２６】
一方、前記座板１０と背もたれ２０とがヒンジ結合される場合、着席者が背もたれ２０に腰と背中をもたれる際、背もたれ２０が力を受けることができず、後ろにそり返る恐れがあるため、これを防止するために、図４に図示のように、前記座板１０の第１凹凸部１４の後方の端部側にはストッパーバー１８が形成される。
【００２７】
前記ストッパーバー１８は前記第１凹凸部１４の各凸部（ふくらんでいる部分）に同時に結合され水平に延設され、前記背もたれ２０の第２凹凸部２２の直上部に突き合わせられ背もたれ２０が後方側にこれ以上回転されないように支持する。
【００２８】
これにより、背もたれ２０が着席者の腰及び背中を堅固に支持することができるようになる。
【００２９】
ここまで本発明にかかる腰下敷用椅子の構成に対し説明したものであり、以下では前記椅子の使い方及び作用に対し説明する。
【００３０】
図６には着席者が本発明にかかる椅子に正しい姿勢に座った姿が図示される。
【００３１】
本発明にかかる椅子は図示のように一般椅子の上に置いて座ることもできるし、その他ソファーや車両用シートなどにも使用可能であり、坐椅子とし床または部屋の地面、キャンプの際に野外の地面において直接着席することも可能である。そして、本椅子の作用は上に列挙したすべての使用状態において皆等しいと言える。
【００３２】
図６を参照すれば、着席者が本発明にかかる椅子に正しい姿勢に座った場合、太ももにより座板１０の前端側に荷重が加えられれば座板１０の底面の中心を基準とし椅子の全体が前方側に旋回され背もたれ２０の部分が着席者の腰及び背中の部分を支える。
【００３３】
また、図７に図示のように、着席者が身をこれから下げるとか座板１０の前方の末端に腰かける場合にも椅子全体が旋回しながら着席者の腰と背中の部分を支えるようになる。 このように、既存の椅子と本発明にかかる椅子とを同時に使う場合、既存の椅子から着席者の身体が離隔される場合にも本発明にかかる椅子が腰と背中を支えるため着席者にリラックス感を提供することができるし、楽に背中をもたれることができるため姿勢矯正の効果も保つことができる。
【００３４】
図８及び図９には着席者の多様な姿勢変化により本発明にかかる椅子の形状及び位置の変形される姿が図示される。
【００３５】
図８に図示のように、着席者が片側に身を傾け片側の座板１０の部分にだけ荷重が加えられる場合、座板１０の底面の中心を基準とし椅子の全体が左右に旋回することにより、着席者が姿勢を変更してもそれに応じ位置が変わりながら着席者の腰と背中を支持する。
【００３６】
また、図９の（ａ）、（ｂ）に図示のように、着席者が前方の片側に身を移動したり一方の太ももを持ち上げるなどの動作を通じ、切開部１２により折半された座板１０の片方の部分にだけ荷重が加えられる場合、荷重が加えられた座板１０の一方の部分が下側に変形されながら、てこの原理により、それと対角線の方向にある背もたれ２０の部分とが前方側に旋回され着席者の腰と背中を支え、荷重が加えられない座板１０の他方の部分は上方に旋回され、持ち上げられた太ももの部分を変わらず支えるようになる。
【００３７】
一方、図９の（ｃ）に図示のように、着席者が一方の脚を他方の脚の上に載せたり足を組んで座る場合など、折半された座板１０が両側に各々互いに違う大きさの荷重がかかる場合、折半された座板１０の両側が互いに独立的に変形することにより着席者の姿勢に応じ着席者の腰と背中を効果的に支えることができるようになる。
【００３８】
以上、本発明の特定の実施例に対し詳述した。しかし、本発明の思想及び範囲はこのような特定の実施例に限定されることではなく、本発明の要旨を変更しない範囲内で多様に修正及び変形が可能であることを本発明が属する技術分野で通常の知識を持つ者なら理解できるだろう。
【００３９】
したがって、以上記述した実施例たちは本発明が属する技術分野で通常の知識を持つ者に発明の範疇を完全に知らせてくれるために提供されるものであるため、すべての面から例示的なことであり限定的ではないことを理解しなければならないし、本発明は請求項の範疇によってのみ定義される。
【符号の説明】
【００４０】
１０：座板
１２：切開部
１４：第１凹凸部
１８：ストッパーバー
２０：背もたれ
２２：第２凹凸部
３０：把持孔
【図１】
2019514664.tif 000003
【図２】
2019514664.tif 000004
【図３】
2019514664.tif 000005
【図４】
2019514664.tif 000006
【図５】
2019514664.tif 000007
【図６】
2019514664.tif 000008
【図７】
2019514664.tif 000009
【図８】
2019514664.tif 000010
【図９】
2019514664.tif 000011
【国際調査報告】
2019514664.tif 000012
2019514664.tif 000013
2019514664.tif 000014
2019514664.tif 000015